(57)【要約】  日付ダイアルを備える本発明の計時器が、２４時間ごとに１度、１ステップずつ駆動される日付ディスク（５）を備える。計時器のダイアル（１１）は、円形部分に沿って配置された一位の数字を備え、円弧の形態で具現化されるおよび円形部分の全角距離にわたって延在する窓（１１ａ）によって横切られる。日付ディスク（５）に連結される表示部材（７）が、窓（１１ａ）内に出現し、一位の指針（７ｃ）と、十位の数字１および２と、十位の数字３用の窓（７ｄ）とを備える。戻しばね（１０ａ）に関連付けされるスクリーン（１０）が、ダイアル（１１）と表示部材（７）との間に配置され、表示部材（７）は、戻しばね（１０ａ）に対して反対方向に可動スクリーン（１０）を駆動するための要素（７ｂ）を備え、それによって、前記指針が一位の数字０の前に位置する場合に、指針（７ｃ）の正面にスクリーン（１０）を配置するようにする。
2009516827.tif 000002
【特許請求の範囲】
【請求項１】
位置決めジャンパ（６）と、日付ディスク（５）を２４時間ごとに１ステップ駆動するように計時器の日の裏輪列歯車組立体（２）に運動連結する歯車組立体（４）とに係合する３１個の歯を有する日付ディスク（５）を含む日付表示器を備える計時器であって、前記計時器のダイアル（１１）が、前記日付ディスクの１ステップに対応する間隔を有して円形部分の周りに配置される日付の一位の数字を有し、前記円形部分の角距離の周りの全長を延在する弧状窓（１１ａ）によって割り込まれ、前記日付ディスク（５）に接合されかつ前記日付ディスク（５）の回転方向に一位ポインタ（７ｃ）と、１０代および２０代用の数字１および２と、３０代用の単一の数字３を２度にわたって連続的に示すための窓（７ｄ）とを有するポインタ部材（７）が、前記弧状窓（１１ａ）を介して出現し、戻しばね（１０ａ）を有する可動マスク（１０）が、前記計時器の前記ダイアル（１１）と前記ポインタ部材（７）との間に提供され、前記ポインタ部材（７）は、前記可動マスク（１０）をその戻しばね（１０ａ）の作動に対して駆動させ、それにより、前記ポインタ（７ｃ）が前記一位の数字０の上方にある場合に、前記ポインタ（７ｃ）の正面に前記可動マスク（１０）を配置するようにするための要素（７ｂ）を備えることを特徴とする計時器。
【請求項２】
前記３０代用の複数の数字３は、前記日付ディスクと、前記一位のポインタ（７ｃ）と前記１０代および２０代の数字１および２とを有する前記ポインタ部材（７）との間に配置される要素（９ｂ）によって有される、請求項１に記載の計時器。
【請求項３】
前記３０代用の複数の数字３を有する前記要素（９ｂ）は、前記ダイアル（１１）が固定される前記計時器（１）に固定された支持具（９）に接合される、請求項２に記載の計時器。
【発明の詳細な説明】
【技術分野】
【０００１】
本発明は、位置決めジャンパと、日付ディスクを２４時間ごとに１ステップ駆動するように計時器の日の裏輪列歯車組立体に運動連結する歯車組立体とに係合する３１個の歯を有する日付ディスクを含む日付表示器を備える計時器に関する。
【背景技術】
【０００２】
腕時計においては、しばしば数字の寸法が、肉眼で容易に読み取るには小さくなり過ぎるため、数字の寸法が日付ディスクの円周部分の１／３１に限定される計時器に関する従来の日付表示器の難点を回避するために、多くの提案がなされてきた。
【０００３】
この理由により、３１個の日付に日付ディスクを分割することにもはや依拠しないという目的を有する、十位の数字とは別個に一位の数字を表示する先行技術が、既にある。この問題は、日付窓がダイアルの６時−１２時軸上にある場合には、さらにより深刻なものとなり、時計製造業者は、２桁の数の数字を並べて配置することを余儀なくされ、これは、円周部分の１／５３にそれらの寸法をさらに縮小させる。
【０００４】
先行技術において示されてきた多数の解決法の中から、特許文献１、特許文献２、特許文献３、および特許文献４が述べられてよい。全てのこれらの機構は、２つの移動ディスクを有し、その一方は一位の数字を有し、他方は十位の数字を有し、これが、比較的複雑な機構を助長する。
【特許文献１】欧州特許第１４２６８３６号
【特許文献２】欧州特許第１０７０９９６号
【特許文献３】欧州特許出願公開第１３６９７５３号
【特許文献４】欧州特許第０５２９１９１号
【発明の開示】
【発明が解決しようとする課題】
【０００５】
本発明の１つの目的は、日付の一位および十位が、簡素化された機構によって別個に表示されることを可能にすることである。
【課題を解決するための手段】
【０００６】
この目的のために、本発明は、請求項１において請求されるように、位置決めジャンパと、日付ディスクを２４時間ごとに１ステップ駆動するように計時器の日の裏輪列歯車組立体に運動連結する歯車組立体とに係合する３１個の歯を有する日付ディスクを含む日付表示器を備える計時器に関する。
【０００７】
添付の図面が、本発明の主題を成す日付表示器を備える計時器の一実施形態を、概略的におよび例示として示す。
【発明を実施するための最良の形態】
【０００８】
図１は、計時器１の日の裏輪列を示し、計時器１は、時針歯車２を備え、時針歯車２は、中間歯車３に噛合し、中間歯車３は、次いで日付歯車４に噛合する。日付歯車４は、３１個の歯を有する日付ディスク５を駆動するための歯４ａを有する。ギア比が、日付歯車４が２４時間で１回転し、それによりその歯４ａが日付ディスクを２４時間ごとに１ステップ駆動するように、選択される。ジャンパ６が、歯４ａの作動時と作動時との間、日付ディスク５を位置決めする。
【０００９】
十位ディスク７が、スペーサ８によって日付ディスク５に固定される。このスペーサ８は、ねじ８ａによって日付ディスク５に固定され、十位ディスク７は、ねじ７ａによってスペーサ８に固定される。十位ディスク７は、１０代および２０代用の、数字１および２を有する。１０代および２０代のこれらの数字を互いから離す角度間隔は、日付ディスク５の１０個分の角度ステップと一致する。また、図２および図５において見ることが可能なポインタ７ｃが、１０代の数字１から日付ディスク５の１０ステップ分の角距離にて、十位ディスク７上に配置される。このポインタ７ｃは、ポインタ７ｃと２０代の数字２との間に位置する窓７ｄに隣接する。
【００１０】
冠状中間支持具９が、計時器１に固定される。これは、十位ディスクを受容するための中央開口９ａを含み、円弧の形状のプレート部９ｂを担持し、同プレート部９ｂの左側端部には、３０代用の２つの数字３が彫刻される。また、この冠状中間支持具９は、可動マスク１０の枢動のための枢動軸９ｃを有し、可動マスク１０は、通常は図３に図示される位置にこのマスク１０を維持する戻しばね１０ａを備えられる。十位ディスク７に装着されるピン７ｂが、以下に説明される目的のために、図２に図示される位置にマスク１０を移動させる役割を果たす。
【００１１】
冠状中間支持具９に固定される計時器のダイアル１１が、弧状窓１１ａを備え、弧状窓１１ａの円の中央部が、ダイアルの中央部であり、十位ディスクの冠状部分が、弧状窓１１ａを介して見られること可能であり、３０代用の２つの数字３を有する弧状プレート部９ｂが、十位ディスクの窓７ｄを介して見られることが可能である。この弧状開口１１ａの内方端部に沿って、０から９までの一位の数字が、それらが配置される円周部分の１／３１に対応する間隔を有して彫刻される。
【００１２】
図２は、月の１日を指示する場合の表示デバイスを示す。ポインタ７ｃは、一位の数字１を指している。次いで、これは、数字２を指すように１ステップ移動し、窓１１ａの右側端部にある数字９まで同様となる。月の９日から１０日への変更時に、ポインタ７ｃは、窓１１ａから消え、同時に十位の１が、一位の０上方に出現する。次いで、この数字１は、２４時間ごとに１ステップ移動し、その度に、一位の他の数字を指す。図３は、一位の数字２の上方の十位の１を示し、したがって、日付が１２日であることを指示する。次いで、同様のことが、２０代用の数字２について生じる。
【００１３】
図４および図５はそれぞれ、３０日および３１日がどのように指示されるかを示す。２０代用の２が窓から消えると（図４）、十位ディスク７の窓７ｄが、冠状支持具９に固定されるプレート部９ｂが有する３０代用の第１の数字３を露出させる状態で、弧状窓１１ａの他方の端部に出現し、一位の数字０の上方に出現する。その後の十位ディスク７の移動の際に（図５）、窓７ｄは、一位の１の上方の、冠状プレート部９ｂ上の３０代用の第２の数字３の上に移動する。同時に、ポインタ７ｃは、一位の０の上方に運ばれる。しかし、この移動の際に、十位ディスクのピン７ｂは、マスク１０を持ち上げ、次いでマスク１０は、ポインタ７ｃと弧状窓１１ａとの間に来て、それによってこのポインタ７ｃが見えないようになる。
【図面の簡単な説明】
【００１４】
【図１】計時器の日付表示デバイスの分解斜視図である。
【図２】部分的に破断された状態の計時器の正面平面図である。
【図３】表示デバイスが他の位置にある状態の、図２と同様の図である。
【図４】表示デバイスが他の位置にある状態の、図２と同様の図である。
【図５】表示デバイスが他の位置にある状態の、図２と同様の図である。
【図１】
2009516827.tif 000003
【図２】
2009516827.tif 000004
【図３】
2009516827.tif 000005
【図４】
2009516827.tif 000006
【図５】
2009516827.tif 000007
【国際調査報告】
2009516827.tif 000008
2009516827.tif 000009
2009516827.tif 000010
2009516827.tif 000011
2009516827.tif 000012
2009516827.tif 000013